(57)【要約】【課題】  １枚のカップホルダーに複数個のカップ容器が固定され、環境に配慮され、このカップ容器を切り離す際に、ミシン目通りに容易に切離しが可能で、かつカップホルダーがこのミシン目から折り曲がったりしないマルチカップの提供。【解決手段】１枚の板紙製カップホルダー２０と天面にフランジ部１１を有する４個の紙製カップ容器１０とで成り、これら紙製カップ容器１０を切り離すためのミシン目３０は、カップホルダー２０の４辺にある切離し開始部３２から紙製カップ容器１０のフランジ部１１端縁に沿って延び、隣合う紙製カップ容器１０のフランジ部１１端縁に渡って沿うように延びる曲線状を形成していて、隣合う４個の紙製カップ容器１０同士の中心に対応するカップホルダー２０の位置に開口した孔部４４が刻設され、ミシン目の終端３４がこの孔部４４に接合しているマルチカップ１である。【選択図】図４
2008143551.tif 000002
【特許請求の範囲】
【請求項１】
少なくとも片面に熱接着層が施されている１枚の板紙製のカップホルダーと天面にフランジ部を有し内面が熱可塑性樹脂層で覆われている複数個の紙製カップ容器とで構成され、前記カップホルダーの熱接着層面に前記複数個の紙製カップ容器のフランジ部を接着せしめて固定し、該各紙製カップ容器を切り離すためのミシン目が隣合う紙製カップ容器間のカップホルダーに刻設されているマルチカップにおいて、
前記ミシン目の刻設は、前記カップホルダーの外周縁辺を切離し開始部とし、該切離し開始部から紙製カップ容器のフランジ部端縁に沿って延び、該紙製カップ容器と隣合う紙製カップ容器のフランジ部端縁に渡って沿うように延びる曲線を形成していることを特徴とするマルチカップ。
【請求項２】
前記ミシン目の切離し開始部は、カップホルダーの外周縁辺に対し垂直になるように施されていることを特徴とする請求項１記載のマルチカップ。
【請求項３】
前記複数個の紙製カップ容器を１列で配置したマルチカップであって、前記ミシン目の終端が前記切離し開始部が刻設されているカップホルダーの外周縁辺と対向する外周縁辺に接合していることを特徴とする請求項１または２記載のマルチカップ。
【請求項４】
前記ミシン目の終端が前記切離し開始部とほぼ同様な形状であることを特徴とする請求項３記載のマルチカップ。
【請求項５】
前記複数個の紙製カップ容器を縦横２つづつの配列で配置したマルチカップであって、前記複数個のうちの隣合う４個の紙製カップ容器同士の中心に対応するカップホルダーの位置に、開口した孔部が刻設されていて、前記ミシン目の終端が前記開口した孔部に接合していることを特徴とする請求項１または２記載のマルチカップ。
【請求項６】
前記複数個の紙製カップ容器を縦横３つと２つ以上の配列で配置したマルチカップであって、前記複数個のうちの隣合う４個の紙製カップ容器同士の中心に対応するカップホルダーの位置に、開口した孔部が刻設されていて、前記ミシン目の終端が前記開口した孔部に接合し、かつ隣合う開口した孔部を結ぶミシン目の切離し開始部がいずれか１方の開口した孔部の端縁辺に刻設されていることを特徴とする請求項１または２記載のマルチカップ。
【請求項７】
前記ミシン目の切離し開始部の先端に切込みが刻設されていることを特徴とする請求項１乃至６のいずれかに記載のマルチカップ。
【発明の詳細な説明】
【技術分野】
【０００１】
本発明は、ヨーグルト等を充填したカップ容器を複数個まとめ、これらを１枚の板状の蓋材で連結固定した多連式のマルチカップに関するものであり、特に、環境に配慮され、板紙製の蓋材と紙製カップ容器とでなり、複数のカップ容器を切り離すためのミシン目等の形状に関するものである。
【背景技術】
【０００２】
従来、ヨーグルト、プリン等の食品を収納した複数個のカップ容器を１枚の蓋材（以下カップホルダーという）で連結し、そのカップホルダーの裏面に接着固定して販売形態とし、その食品を食するに際し、１個分のカップ容器を切り離すため、隣合うカップ容器間のカップホルダーに切り目等が施されている多連式のマルチカップが知られている。
【０００３】
この事例として、例えば、図９の斜視図に示すように、２×２の配列で配置された４個のスチロール樹脂やポリプロピレン樹脂等でなり天面に開口部を有するプラスチック製カッフ容器（６０）とそのフランジ部を兼ねたカップホルダー（５０）とでなる成形体であって、該カッフ容器（６０）の開口部（６２）をアルミニウム箔を主体とした蓋材（５６）でカップホルダー（５０）を含めシールした４連式のマルチカップ（５）があり、１個分のカップ容器を切り離すためそれぞれのカップ容器（６０）の間のカップホルダー（５０）とアルミニウム箔を主体とした蓋材（５６）に直線状の切り目（５２）が施されたマルチカップ（５）がある。
【０００４】
しかしながら、上記アルミニウム箔を主体とした蓋材（５６）とスチロールやポリプロピレン等でなるプラスチック製のカップ容器（６０）とそのカップホルダー（５０）との成形物でなるマルチカップ（５）では、カップ容器（６０）を切り離す際の切り目（５２）は、カップホルダー（５０）自体に剛性があるためその切り目（５２）で折り曲がったりする問題はないが、環境に対する配慮の面においては、プラスチック製であること（省資源等の問題）に加え、シールされるアルミニウム箔を主体とする蓋材（５６）は焼却処理に係わる環境上の問題点（焼却炉の損傷や、その焼却灰と埋立て場の雨水による排ガスの問題等）があった。
【０００５】
上記環境上の問題点を解消するものとして、近年は、内面にポリエチレン等が積層された紙製のカップ容器とそれを連結・固定する板紙製のカップホルダーとでなる多連式のマルチカップがあり、それら紙製のカップ容器を切り離すため、紙製のカップ容器間のカップホルダーに直線状のミシン目が施されたマルチカップがある（例えば、特許文献１参照。）。
【０００６】
以下に、上記先行技術文献を示す。
【特許文献１】特開平６−３２９１６９号公報
【発明の開示】
【発明が解決しようとする課題】
【０００７】
しかし、上記従来の紙製でなるマルチカップの技術において、カップホルダーに剛性がなく、特に切り離すための直線状のミシン目では、カップ容器を切り離す際に、直線状のミシン目に沿って直線的に切り離せなかったり、この直線状のミシン目から外れて、必要としない他のカップ容器の天面を覆うカップホルダーまで切り取られるという問題点があった。さらにミシン目が直線状に設けられているので、カップホルダーを摘まんで持ち上げようとすると、食品が充填されたカップ容器の重さでこのミシン目からカップホルダーが折り曲がってしまい、このマルチカップを容易に持ち上げることができないことに加え、見栄えの点からも商品価値に欠けるものであった。
【０００８】
本発明は、かかる従来技術の問題点を解決するものであり、その課題とするところは、裏面に接着層を有する１枚のカップホルダーで複数個のカップ容器を連結し固定してなるマルチカップにおいて、環境に配慮され、カップ容器を切り離す際に、切り離すために設けられるミシン目に沿って（ミシン目から外れたりせず）容易に切離しが可能で、かつカップホルダーを摘んで持ち上げる際に、このミシン目からカップホルダーが折り曲がったりせず、容易に持ち上げることができ、かつ見栄えの点からも商品価値に欠けることのないマルチカップを提供することにある。
【課題を解決するための手段】
【０００９】
本発明に於いて上記課題を達成するために、まず請求項１の発明では、少なくとも片面に熱接着層が施されている１枚の板紙製のカップホルダーと天面にフランジ部を有し内面が熱可塑性樹脂層で覆われている複数個の紙製カップ容器とで構成され、前記カップホルダーの熱接着層面に前記複数個の紙製カップ容器のフランジ部を接着せしめて固定し、該各紙製カップ容器を切り離すためのミシン目が隣合う紙製カップ容器間のカップホルダーに刻設されているマルチカップにおいて、
前記ミシン目の刻設は、前記カップホルダーの外周縁辺を切離し開始部とし、該切離し開始部から紙製カップ容器のフランジ部端縁に沿って延び、該紙製カップ容器と隣合う紙製カップ容器のフランジ部端縁に渡って沿うように延びる曲線を形成していることを特徴とするマルチカップとしたものである。
【００１０】
また、請求項２の発明では、前記ミシン目の切離し開始部は、カップホルダーの外周縁辺に対し垂直になるように施されていることを特徴とする請求項１記載のマルチカップとしたものである。
【００１１】
また、請求項３の発明では、前記複数個の紙製カップ容器を１列で配置したマルチカップであって、前記ミシン目の終端が前記切離し開始部が刻設されているカップホルダーの外周縁辺と対向する外周縁辺に接合していることを特徴とする請求項１または２記載のマルチカップとしたものである。
【００１２】
また、請求項４の発明では、前記ミシン目の終端が前記切離し開始部とほぼ同様な形状であることを特徴とする請求項３記載のマルチカップとしたものである。
【００１３】
また、請求項５の発明では、前記複数個の紙製カップ容器を縦横２つづつの配列で配置したマルチカップであって、前記複数個のうちの隣合う４個の紙製カップ容器同士の中心に対応するカップホルダーの位置に、開口した孔部が刻設されていて、前記ミシン目の終端が前記開口した孔部に接合していることを特徴とする請求項１または２記載のマルチカップとしたものである。
【００１４】
また、請求項６の発明では、前記複数個の紙製カップ容器を縦横３つと２つ以上の配列で配置したマルチカップであって、前記複数個のうちの隣合う４個の紙製カップ容器同士の中心に対応するカップホルダーの位置に、開口した孔部が刻設されていて、前記ミシン目の終端が前記開口した孔部に接合し、かつ隣合う開口した孔部を結ぶミシン目の切離し開始部がいずれか１方の開口した孔部の端縁辺に刻設されていることを特徴とする請求項１または２記載のマルチカップとしたものである。
【００１５】
さらにまた、請求項７の発明では、前記ミシン目の切離し開始部の先端に切込みが刻設
されていることを特徴とする請求項１乃至６のいずれかに記載のマルチカップとしたものである。
【発明の効果】
【００１６】
本発明は以上の構成であるから、下記に示す如き効果がある。
【００１７】
即ち、上記請求項１に係る発明によれば、少なくとも片面に熱接着層が施されている１枚の板紙製のカップホルダーと天面にフランジ部を有し内面が熱可塑性樹脂層で覆われている複数個の紙製カップ容器とで構成されているので、環境（省資源と焼却処理）の面に配慮されたマルチカップを提供できる。
【００１８】
さらに上記請求項１に係る発明によれば、前記カップホルダーの熱接着層面に前記複数個の紙製カップ容器のフランジ部を接着せしめて固定し、該各紙製カップ容器を切り離すためのミシン目が隣合う紙製カップ容器間のカップホルダーに刻設されているマルチカップにおいて、
前記ミシン目の刻設は、前記カップホルダーの外周縁辺を切離し開始部とし、該切離し開始部から紙製カップ容器のフランジ部端縁に沿って延び、該紙製カップ容器と隣合う紙製カップ容器のフランジ部端縁に渡って沿うように延びる曲線を形成していることによって、各紙製カップ容器の切り離しに際し、この紙製カップ容器のフランジ部端縁に沿って延びるミシン目通りに、即ちミシン目から外れることがなく切離しが可能なマルチカップとすることができ、かつカップホルダーを摘んで持ち上げてもそのミシン目から折り曲がったりせず、見栄えの点からも商品価値に欠けることのないマルチカップとすることができる。
【００１９】
また、上記請求項２に係る発明によれば、前記ミシン目の切離し開始部は、カップホルダーの外周縁辺に対し垂直になるように施されていることによって、紙製カップ容器の切り離しに際し、この切離し開始部を起点とし、曲線状でなるミシン目に沿ってより容易に切離しし易いようにすることができる。この切離し開始部が外周縁辺に対し斜めになっているとミシン目通りに切り離せない危惧があるので好ましくはないものとなる。
【００２０】
また、上記請求項３に係る発明によれば、前記複数個の紙製カップ容器を１列で配置したマルチカップの場合、前記ミシン目の終端が前記切離し開始部が刻設されているカップホルダーの外周縁辺と対向する外周縁辺に接合していることによって、紙製カップ容器の切り離しに際し、切離し開始部からミシン目の終端が刻設されている対向する外周縁辺まで容易に切離しし易いようにすることができる。
【００２１】
また、上記請求項４に係る発明によれば、前記複数個の紙製カップ容器を１列で配置したマルチカップの場合のミシン目の終端が切離し開始部とほぼ同様な形状とすることによって、ミシン目の終端をも切離し開始部として紙製カップ容器を切り離すことが可能なマルチカップとすることができる。
【００２２】
また、上記請求項５に係る発明によれば、前記複数個の紙製カップ容器を縦横２つづつの配列で配置したマルチカップの場合、前記複数個のうちの隣合う４個の紙製カップ容器同士の中心に対応するカップホルダーの位置に、開口した孔部が刻設されていて、前記ミシン目の終端が前記開口した孔部に接合していることによって、４方向から延びるミシン目の終端が開口した孔部に接合し易くなって、紙製カップ容器の切離しに際し、４個とも切り離しが容易にすることができる。
【００２３】
さらにまた、上記請求項５に係る発明によれば、隣合う紙製カップ容器同士の中心に対応するカップホルダーの位置に開口した孔部を設けることによって、紙製カップ容器のカ
ップホルダーに対する位置合わせのために活用でき、また、この開口した孔部に指先を挿入し、この開口した孔部に接合しているミシン目に沿ってカップホルダーを引き裂き、個々の紙製カップ容器ごと切り離すことも可能なマルチカップとすることができる。
【００２４】
また、上記請求項６に係る発明によれば、前記複数個の紙製カップ容器を縦横３つと２つ以上の配列で配置した場合のマルチカップであって、前記複数個のうちの隣合う４個の紙製カップ容器同士の中心に対応するカップホルダーの位置に、開口した孔部が刻設されていて、前記ミシン目の終端が前記開口した孔部に接合し、かつ隣合う開口した孔部を結ぶミシン目の切離し開始部がいずれか１方の開口した孔部の端縁辺に刻設されていることによって、４方向から延びるミシン目の終端が開口した孔部に接合し易くなって、紙製カップ容器の切離しに際し、複数個とも切り離しが容易にすることができる。
【００２５】
さらにまた、上記請求項６に係る発明によれば、隣合う紙製カップ容器同士の中心に対応するカップホルダーの位置に開口した孔部を設けることによって、紙製カップ容器のカップホルダーに対する位置合わせのために活用でき、また、この開口した孔部に指先を挿入し、この開口した孔部に接合しているミシン目に沿ってカップホルダーを引き裂き、個々の紙製カップ容器ごと切り離すことも可能なマルチカップとすることができる。
【００２６】
さらにまた、上記請求項７に係る発明によれば、前記ミシン目の切離し開始部の先端に切込みが刻設されていることによって、切離し開始部からの切離しがより容易なマルチカップとすることができる。
【００２７】
従って本発明は、ヨーグルト等を充填したカップ容器を複数個まとめ、これらを１枚の板状の蓋材で連結固定した多連式のマルチカップの如き用途において、優れた実用上の効果を発揮するものである。
【発明を実施するための最良の形態】
【００２８】
以下本発明を実施するための最良の形態を図面を用いて詳細に説明する。
【００２９】
図１は、本発明のマルチカップの一事例を示す概略説明図であり、図２から図６は、本発明のマルチカップの他の一事例を詳細に説明する図である。
【００３０】
本発明は、例えば、図１の斜視図に示すように、複数個（４個）のヨーグルト等食品（図示せず）を充填した紙製カップ容器（１０）をまとめ、これらを１枚の板紙でなるカップホルダー（２０）の裏面に接着固定した多連式のマルチカップ（１）に関するもので、特に環境に配慮された紙製カップ容器（１０）と板紙製のカップホルダー（２０）とでなり、このマルチカップ（１）の使用に際し、複数個（４個）の紙製カップ容器（１０）を切り離すためカップホルダー（２０）に設けられるミシン目（３０）の形状等に関するものである。
【００３１】
本発明のマルチカップ（１）は、例えば図２（ａ）の上面図およびそのＢ−Ｂ面を表す図２（ｂ）の断面図に示すように、少なくとも板紙層（２２）の裏面に熱接着層（２４）が施されている１枚の長方形状のカップホルダー（２０）の熱接着層（２４）面に、１列で配置した２個の食品（４０）が充填されている紙製カップ容器（１０Ａ、１０Ｂ）がそのフランジ部（１１）で接着・固定されている。
【００３２】
この紙製カップ容器（１０Ａ、１０Ｂ）の内面とそれに連続しているフランジ部（１１）の上面には、熱可塑性樹脂層（１２）が施されていて、この熱可塑性樹脂層（１２）で紙製カップ容器（１０Ａ、１０Ｂ）がそのフランジ部（１１）をカップホルダー（２０）の裏面にある熱接着層（２４）にヒートシールし易くするとともに、食品（４０）に対する衛生性と耐水性を付与するようにしてある。
【００３３】
このようにヒートシールされた２個の紙製カップ容器（１０Ａ、１０Ｂ）の間のカップホルダー（２０）に、これら紙製カップ容器（１０Ａ、１０Ｂ）を切り離すためのミシン目（３０）が施されていて、このミシン目（３０）が長方形状のカップホルダー（２０）の長辺を切離し開始部（３２）として、この切離し開始部（３２）から一方の紙製カップ容器（１０Ａ）のフランジ部（１１）の端縁に沿って延び、さらにこの紙製カップ容器（１０Ａ）と隣合う紙製カップ容器（１０Ｂ）のフランジ部（１１）の端縁に渡り、その端縁に沿うように延びて、このミシン目（３０）の終端（３４）が、切離し開始部（３２）のある長辺と反対側の辺まで延びるように刻設されている。
【００３４】
このように、少なくとも板紙層（２２）の裏面に熱接着層（２４）が施されている１枚のカップホルダー（２０）と、天面にフランジ部（１１）を有し内面が熱可塑性樹脂層（１２）で覆われている２個の紙製カップ容器（１０Ａ、１０Ｂ）とで構成されているので、従来のプラスチック製のカップ容器とカップホルダーと、アルミニウム箔を主体とした蓋材とで構成されているマルチカップに比べ、環境（省資源と焼却処理）の面に配慮されたマルチカップ（１）とすることができる。
【００３５】
また、カップホルダー（２０）の熱接着層（２４）面に着せしめて固定されている２個の紙製カップ容器（１０Ａ、１０Ｂ）の間のカップホルダー（２０）に各紙製カップ容器（１０Ａ、１０Ｂ）を切り離すためのミシン目（３０）が刻設されていて、このミシン目（３０）は、カップホルダー（２０）の長辺に設けた切離し開始部（３２）から一方の紙製カップ容器（１０Ａ）のフランジ部（１１）の端縁に沿って延び、この紙製カップ容器（１０Ａ）と隣合う紙製カップ容器（１０Ｂ）のフランジ部（１１）の端縁に渡り、それに沿うように延びる曲線状に形成されていることによって、２個の紙製カップ容器（１０Ａ、１０Ｂ）の切り離しに際し、曲線状のミシン目（３０）どおりに、即ちこのミシン目（３０）から外れることがなく確実に切離しが可能なマルチカップ（１）とすることができる。
【００３６】
また、この板紙製で剛性に欠けるカップホルダー（２０）を指で摘んで持ち上げても、切り離すためのミシン目（３０）が曲線状に形成されているため、従来の直線状のミシン目のように折り曲がったりしないので、商品価値にも優れるマルチカップ（１）とすることができる。
【００３７】
また、本発明では、例えば、図２（ａ）に示すように、曲線状でなるミシン目（３０）の切離し開始部（３２）を、カップホルダー（２０）の長辺に対し垂直になるように刻設しているもので、このような切離し開始部（３２）とすることによって、紙製カップ容器（１０Ａ、１０Ｂ）の切り離しに際し、この切離し開始部（３２）を指で摘むための起点とし、曲線状でなるミシン目（３０）に沿ってより容易に切離しし易いようにすることができる。
【００３８】
また、本発明の１列で配置したマルチカップ（１）の事例として、例えば、図３の上面図に示すように、１枚の長方形状のカップホルダー（２０）の熱接着層（図示せず）面に、１列で配置した３個の紙製カップ容器（１０Ａ、１０Ｂ、１０Ｃ）がそののフランジ部（１１）で接着・固定されているものとすることもできる。
【００３９】
これら３個の紙製カップ容器（１０Ａ、１０Ｂ、１０Ｃ）の間のカップホルダー（２０）に、これら紙製カップ容器（１０Ａ、１０Ｂ、１０Ｃ）を切り離すための２本の曲線状のミシン目（３０）が施されていて、このミシン目（３０）が長方形状のカップホルダー（２０）の長辺の２か所に切離し開始部（３２）を設け、これら切離し開始部（３２）か
ら紙製カップ容器（１０Ａ、１０Ｂ）のフランジ部（１１）の端縁に沿って延び、さらにこの紙製カップ容器（１０Ａ、１０Ｂ）と隣合う紙製カップ容器（１０Ｂ、１０Ｂ）のフランジ部（１１）の端縁に渡り、その端縁に沿うように延びて、この２本のミシン目（３０）の終端（３４）が、各切離し開始部（３２）のある長辺と反対側の辺まで延びるように刻設されているマルチカップ（１）とすることもできる。
【００４０】
また、本発明の１列で配置したマルチカップ（１）において、例えば、図２（ａ）および図３の上面図に示すように、曲線状でなるミシン目（３０）の終端（３４）がその反対側の長辺に刻設されている切離し開始部（３２）とほぼ同様な形状、すなわちミシン目（３０）の終端（３４）も長辺に対し垂直に刻設されているマルチカップ（１）とするものである。
【００４１】
このように、曲線状でなるミシン目（３０）の終端（３４）とその反対側の辺にある切離し開始部（３２）の形状をほぼ同様に長辺に対し垂直にすることによって１列で配置したマルチカップの場合のミシン目（３０）の終端（３４）をも切離し開始部（３２）として各紙製カップ容器（１０Ａ、１０Ｂまたは１０Ｃ）を切り離すことが可能なマルチカップ（１）とすることもできる。
【００４２】
さらにまた、本発明では、例えば、図４の上面図に示すように、４個の紙製カップ容器（１０）を縦横２つづつの配列で配置したマルチカップ（１）の場合であって、隣合う４個の紙製カップ容器（１０）同士の中心に対応するカップホルダー（２０）の位置に、開口した円形状の孔部（４４）が刻設されていて、外周の４辺にある切離し開始部（３２）から延びる曲線状のミシン目（３０）の終端（３４）がこの開口した円形状の孔部（４４）に接合するようにしたことを特徴とするマルチカップ（１）とするものである。
【００４３】
このような開口した円形状の孔部（４４）を設けず、例えば、図８の上面図に示すように、外周の４辺にある切離し開始部（３２）から延びる４本の曲線状のミシン目（３０）の終端（３０）が４個の紙製カップ容器（１０）の中心でお互いに交わるようにしたものでもよいが、上記図４に示すように、隣合う４個の紙製カップ容器（１０）同士の中心に対応するカップホルダー（２０）の位置に、開口した孔部（４４）を設け、曲線状のミシン目（３０）の終端（３４）をこの開口した孔部（４４）に接合するようにすることによって、４方向から延びるミシン目（３０）の終端（３４）がこの開口した孔部（４４）に接合し易くなり、そのため紙製カップ容器（１０）の切離しに際し、４個ともより切り離しが容易になるようにしたものである。
【００４４】
かつまた、この開口した孔部（４４）を設けることによって、このカップホルダー（２０）に対する各紙製カップ容器（１０）の位置合わせのために活用することができ、さらにまた、例えばこの開口した孔部（４４）に指先を挿入し、これに接合しているミシン目（３０）に沿ってカップホルダー（２０）を引き裂いて紙製カップ容器ごと切り離すこともできる。
【００４５】
上記開口した孔部（４４）の形状を、図１に示すように円形状としたが、四角形状、八角形状でもよく、中心部に収まる形状であれば極端には三角形状でもよく、特にその形状を限定するものではない。
【００４６】
また、本発明では、例えば、図５の上面図に示すように、横３つ縦２つの配列で６個の紙製カップ容器（１０）を配置したマルチカップ（１）の場合であって、隣合う４個の紙製カップ容器（１０）同士の中心に対応するカップホルダー（２０）の位置に、２個の開口した孔部（４４）が刻設されていて、外周の４辺にある切り離し開始部（３２）から延びる６本の曲線状のミシン目（３０）の終端（３４）が２個の開口した孔部（４４）にそ
れぞれが接合するようにし、かつこの２個の開口した孔部（４４）を結ぶ曲線状のミシン目（３０）の開口部（３２）が一方の孔部（４４）の端縁辺に刻設されていることを特徴とするマルチカップ（１）とするものである。
【００４７】
このように、特に食品が充填された６個（以上）の紙製カップ容器（１０）でなるマルチカップ（１）の如く全体の重量が嵩んでも、そのミシン目（３０）から折り曲がったりせず、商品価値に優れるマルチカップ（１）とすることができる。
【００４８】
さらにまた、本発明では、例えば、図２（ａ）や図４などに示すように、曲線状のミシン目（３０）の切離し開始部（３２）の先端に切込み（３３）が刻設されていることを特徴とするマルチカップ（１）とするもので、この切込み（３３）によって、紙製カップ容器（１０）を切り離す際に、この切込み（３３）を起点とし切離し開始部（３２）からの切離しがより容易になるマルチカップ（１）とすることができる。
【００４９】
以下に、本発明のマルチカップ（１）を構成する紙製カップ容器（１０）やカップホルダー（２０）の材料構成や製法等について事例を挙げて説明する。
【００５０】
まず、紙製カップ容器（１０）としては、少なくとも内面に熱可塑性樹脂層を設けてなる加工紙で形成されてなり、その開口部にフランジ部（１１）を備えたもので、この加工紙としては、例えば、図６の側断面図に示すように、内面側から順に熱可塑性樹脂層（１２）、紙層（１４）、熱可塑性樹脂層（１２）、あるいは図２（ｂ）の断面図に示すように、内面側から順に熱可塑性樹脂層（１２）、紙層（１４）などの積層体でなるものが使用される。
【００５１】
上記熱可塑性樹脂層（１２）としては、例えば、ポリエチレン、ポリプロピレン、ポリカーボネート、ポリスチレン、ポリアミド、ポリエステルなどが挙げられる。また、紙層（１４）としては、食品を充填することから特に衛生性（見た目も含め）を考慮して白色のカップ原紙が好適に使用される。
【００５２】
また、紙製のカップホルダー（２０）としては、少なくとも板紙の裏面に熱接着層を施した加工紙で形成されてなり、その事例として、例えば、図７の側断面図に示すように、表面から順にＯＰニス層（２６）、絵柄層（２５）、板紙層（２２）、熱接着層（２４）などの積層体でなるものが使用される。
【００５３】
上記板紙層（２２）としては、特に限定するものではないが、食品用を考慮して２５０〜３００ｇ／ｍ2 程度の白色で衛生性に優れるカップ原紙あるいは塗工マニラボールのアイボリーやカードなど高級紙が好適に使用される。
【００５４】
また、上記板紙層（２２）の裏面に形成する熱接着層（２４）としては、例えばヒートシール性に優れる直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等のポリオレフィン樹脂あるいはエチレン／酢酸ビニル共重合体（ＥＶＡ）、エチレン／アクリル酸共重合体（ＥＡＡ）、エチレン／メタアクリル酸共重合体（ＥＭＡＡ）等エチレン共重合樹脂のフィルムが好適に用いられる。
【００５５】
上記のような構成の加工紙を所望の形状に打ち抜くとともに、所望の位置にミシン目（３０）を施してカップホルダー（２０）とし、その裏面に上記のような構成の紙製カップ容器（１０）のフランジ部（１１）を配置し、超音波シールやインパルスシール方式等で接着・固定してマルチカップ（１）とすることができる。
【図面の簡単な説明】
【００５６】
【図１】本発明のマルチカップの一実施の形態を示す斜視図である。
【図２】本発明のマルチカップの一事例を説明するもので、（ａ）は、その上面図であり、（ｂ）は、そのＢ−Ｂ面を表す断面図である。
【図３】本発明のマルチカップの他の一事例を示す上面図である。
【図４】本発明のマルチカップのさらに他の一事例を示す上面図である。
【図５】本発明のマルチカップのさらに他の一事例を示す上面図である。
【図６】本発明のマルチカップを構成する紙製カップ容器の加工紙の一事例を示す側断面図である。
【図７】本発明のマルチカップを構成するカップホルダーの加工紙の一事例を示す側断面図である。
【図８】本発明のマルチカップのさらに他の一事例を示す上面図である。
【図９】従来のマルチカップの一事例を説明する斜視図である。
【符号の説明】
【００５７】
１‥‥マルチカップ
５‥‥従来のプラスチック製のマルチカップ
１０‥‥紙製カップ容器
１０Ａ、１０Ｂ、１０Ｃ‥‥２連、３連でなる紙製カップ容器
１１‥‥フランジ部
１２‥‥熱可塑性樹脂層
１４‥‥紙層
２０‥‥カップホルダー
２２‥‥板紙層
２４‥‥熱接着層
２５‥‥絵柄層
２６‥‥ＯＰニス層
３０‥‥ミシン目
３２‥‥ミシン目の切離し開始部
３３‥‥切込み
３４‥‥ミシン目の終端
４０‥‥食品
４４‥‥開口した孔部
５０‥‥従来のカップホルダー
５２‥‥直線状の切り目
５６‥‥アルミニウム箔の蓋材
６０‥‥カップ容器
６２‥‥カップ容器の開口部
【図１】
2008143551.tif 000003
【図２】
2008143551.tif 000004
【図３】
2008143551.tif 000005
【図４】
2008143551.tif 000006
【図５】
2008143551.tif 000007
【図６】
2008143551.tif 000008
【図７】
2008143551.tif 000009
【図８】
2008143551.tif 000010
【図９】
2008143551.tif 000011